(57)【特許請求の範囲】
【請求項１】
燃料ガスを貯蔵する燃料タンク、前記燃料ガスと空気を酸化反応させて熱を発生させる触媒燃焼加熱部、前記触媒燃焼加熱部で発生する熱を検知して同触媒燃焼加熱部を任意の温度に制御する制御部を有する発熱部と、前記発熱部を収容する収納部を設けた衣類本体と、前記衣類本体の収納部の上方に設けた空気拡散用通路と、前記空気拡散用通路を構成する部材の内面側に設けた多数の突起部とを具備し、前記発熱部および前記突起部を前記衣類本体に対して着脱自在に構成するとともに、前記突起部を個々に前記空気拡散用通路の任意の場所に配設可能とした暖房装置。
【請求項２】
袋状の保持体に柔軟性を有する支持体を収容して突起部を構成し、衣類本体に取着した請求項１記載の暖房装置。
【発明の詳細な説明】
【０００１】
【発明の属する技術分野】
本発明は、液化燃料ガスを触媒燃焼させることによって得られる熱を利用して、人体を暖める暖房装置に関するものである。
【０００２】
【従来の技術】
従来、この種の暖房装置は、発熱部によって加熱した空気を空気拡散用通路内に上昇させる際に、土台となる薄板状のパッド等に突起を設け、熱気を拡散させることによって人体を暖めるものが一般的であった。
【０００３】
【発明が解決しようとする課題】
しかし、このような従来の暖房装置では、突起部が土台となるパッド等に設けられ、衣類本体の人体背中部周辺に配設されている。そして、比較的広い面積を有した上記パッドに多数の突起部が一体的に構成されているため、使用時の装着感が悪いという問題を有していた。
【０００４】
本発明は、上記課題を解決するもので、人体への着用時の装着性を向上するとともに、使用者の体型に関わらず、快適な暖房性能を確保することを目的としている。
【０００５】
【課題を解決するための手段】
本発明は上記第１の目的を達成するために、発熱部を収容する収納部を設けた衣類本体と、前記衣類本体の収納部の上方に設けた空気拡散用通路と、前記空気拡散用通路を構成する部材の内面側に設けた多数の突起部とを具備し、前記発熱部および前記突起部を前記衣類本体に対して着脱自在に構成するとともに、前記突起部を個々に前記空気拡散用通路の任意の場所に配設可能としたものである。
【０００６】
これにより、衣類本体に設けられた各々の突起部は空気拡散用通路を構成する可とう性を有した衣類本体によって支持されるため、衣類本体の人体背中部に柔軟性を持たせることができ、着用時の装着感を良好にして、人体の広い範囲を効率良く暖めることができるとともに、使用者の体型にかかわらず、快適な暖房性能を確保することができる。
【０００７】
【発明の実施の形態】
本発明の請求項１に記載の発明は、燃料ガスを貯蔵する燃料タンク、前記燃料ガスと空気を酸化反応させて熱を発生させる触媒燃焼加熱部、前記触媒燃焼加熱部で発生する熱を検知して同触媒燃焼加熱部を任意の温度に制御する制御部を有する発熱部と、前記発熱部を収容する収納部を設けた衣類本体と、前記衣類本体の収納部の上方に設けた空気拡散用通路と、前記空気拡散用通路を構成する部材の内面側に設けた多数の突起部とを具備し、前記発熱部および前記突起部を前記衣類本体に対して着脱自在に構成するとともに、前記突起部を個々に前記空気拡散用通路の任意の場所に配設可能としたものであり、商用電源に接続することなく、任意の場所で人体を暖めることができるとともに、着用時の装着感を損なうことなく、暖房性能を確保することができる。また、使用者の体型に応じて突起の位置を変えることができるので、使用者の体型に関わらず、効率良く人体を暖めることができる。また、衣類本体の洗濯時等に発熱部および突起部を取外すことができ、使い勝手を向上することができる。
【０００８】
また、請求項２に記載の発明は、上記請求項１に記載の発明において、袋状の保持体に柔軟性を有する支持体を収容して突起部を構成し、衣類本体に取着したものであり、着用時の装着感を損なうことなく、良好な暖房性能を得ることができる。
【０００９】
【実施例】
以下、本発明の実施例について、図面を参照しながら説明する。
【００１０】
（実施例１）
図１〜図３に示すように、発熱部１は、燃料ガスを貯蔵する着脱自在な燃料タンク２と、この燃料タンク２から供給管３を介して供給される燃料ガスと空気を酸化反応させて熱を発生させる触媒燃焼加熱部４と、この触媒燃焼加熱部４で発生する熱を検知して同触媒燃焼加熱部４を任意の温度に制御する制御部５を有している。
【００１１】
衣類本体６は、その下部に収納部７を設けて内側の人体側からファスナー８等で開閉自在にしてあり、前記ファスナー８を横方向へ開いて前記発熱部１を衣類本体６の収納部７に収納することができるとともに、発熱部１を収納部７から取り出すことができる。収納部７に収納されている発熱部１は、衣類本体６が着用されているときは保持部７ａにより収納部７内の所定の位置に保持され、外気は開口９から収納部７内に取り入れられる。
【００１２】
収納部７の上方にはこの収納部７と連通して衣類本体６の背面部の広い範囲に空気拡散用通路１０が設けてあり、発熱部１から放出される熱は、衣類本体６の表地１４と裏地１５とで形成される空気拡散用通路１０内に拡散され、この空気拡散用通路１０は表地１４の内面側に個々に縫合された多数の突起部１２により表地１４と裏地１５との間に空間が形成される。突起部１２は空気拡散用通路１０を構成している衣類本体６の裏地１５に取着してもよく、また、表地１４と裏地１５の両方に設けてもよい。
【００１３】
次に、上記構成における動作を説明する。まず、燃料タンク２内に貯蔵した燃料ガスを触媒燃焼加熱部４へ供給するとともに、燃料ガスと空気を酸化反応させて発熱部１で熱を発生させる。衣類本体６に設けた収納部７に収納された発熱部１から放出される熱は、突起部１２により空間が確保された空気拡散用通路１０内に拡散され、充満し均一に広がる。
【００１４】
したがって、商用電源に接続することなく、任意の場所で人体を暖めることができるとともに、多数の突起部１２は個々に取り付けているので衣類本体６のもつ柔軟性を損なうことなく、良好な装着感が得られるとともに、均一かつ快適に人体を暖めることができる。
【００１５】
（実施例２）
図４に示すように、空気拡散用通路１０を構成している衣類本体６の表地１４または裏地１５の内面側および突起部１２に、例えば面ファスナーやホック等の着脱可能な着脱部材１１を設けたものである。他の構成は上記実施例１と同じである。
【００１６】
上記構成によれば、突起部１２を使用者の体型に応じて衣類本体６の任意の位置に配設することができ、使用者の体型に対応して発熱部１で加熱された暖気を空気拡散用通路１０内に効率よく拡散させることができ、快適な暖房性能を確保することができる。
【００１７】
（実施例３）
図５および図６に示すように、発熱部１は収納部７内において衣類本体６に着脱自在に装着されている。そして、突起部１６はクッション性を有した薄板状のパッド１３に設けられ、そのパッド１３には面ファスナー等の脱着可能な着脱部材１７により衣類本体６に対して着脱自在に設けられている。また、突起部１６は、空気拡散用通路１０を構成している衣類本体６の表地１４または裏地１５のいずれの部材の内側に設けてもよい。他の構成は上記実施例１と同じである。
【００１８】
上記構成によれば、発熱部１および突起部１６は衣類本体６に対して着脱自在となる。したがって、衣類本体６の洗濯時等は、これら発熱部１および突起部１６を衣類本体６から取外して容易に取り扱うことができ、使い勝手が向上する。
【００１９】
（実施例４）
図７に示すように、突起部１８は、例えばフェルトや立体繊維等で構成された弾力性を有する支持体１９を収容した袋状の繊維からなる保持体２０で構成され、衣類本体６に設けた空気拡散用通路１０の内面側に取着されている。他の構成は上記実施例１と同じである。
【００２０】
上記構成によれば、突起部１８は軽量かつ柔軟性を有するので、使用時の装着感を損なうことなく、快適な暖房性能を得ることができる。
【００２１】
【発明の効果】
以上のように本発明の請求項１に記載の発明によれば、燃料ガスを貯蔵する燃料タンク、前記燃料ガスと空気を酸化反応させて熱を発生させる触媒燃焼加熱部、前記触媒燃焼加熱部で発生する熱を検知して同触媒燃焼加熱部を任意の温度に制御する制御部を有する発熱部と、前記発熱部を収容する収納部を設けた衣類本体と、前記衣類本体の収納部の上方に設けた空気拡散用通路と、前記空気拡散用通路を構成する部材の内面側に設けた多数の突起部とを具備し、前記発熱部および前記突起部を前記衣類本体に対して着脱自在に構成するとともに、前記突起部を個々に前記空気拡散用通路の任意の場所に配設可能としたから、装着性を損なうことなく、人体を均一な温度で快適に暖めることができるとともに、体型に応じて突起の位置を変えることができ、使用者の体型に対応して、効率良く人体を暖めることができる。また、衣類の洗濯時等に発熱部および突起部を取外すことができ、使い勝手を向上することができる。
【００２２】
また、請求項２に記載の発明によれば、袋状の保持体に柔軟性を有する支持体を収容して突起部を構成し、衣類本体に取着したから、突起部の弾力性をよくして着用時の装着性を向上するとともに、良好な暖房性能を得ることができる。
【図面の簡単な説明】
【図１】  本発明の実施例１の暖房装置の発熱部の斜視図
【図２】  同暖房装置の衣服本体の展開図
【図３】  同暖房装置の要部断面図
【図４】  本発明の実施例２の暖房装置の要部断面図
【図５】  本発明の実施例３の暖房装置の衣服本体の展開図
【図６】  同暖房装置の要部断面図
【図７】  本発明の実施例４の暖房装置の要部断面図
【符号の説明】
１    発熱部
２    燃料タンク
４    触媒燃焼加熱部
５    制御部
６    衣類本体
１０  空気拡散用通路
１２  突起部
【図１】
0003804441.tif 000002
【図２】
0003804441.tif 000003
【図３】
0003804441.tif 000004
【図４】
0003804441.tif 000005
【図５】
0003804441.tif 000006
【図６】
0003804441.tif 000007
【図７】
0003804441.tif 000008